(57)【要約】  サーバ装置およびクライアント装置が、都合良くネットワークを形成しインターワーキングすることができないという問題を解決するために、通信分野に関するネットワーキング方法、サーバ装置、クライアント装置およびネットワークシステムが、本発明の実施形態によって提供される。その方法は、クライアント装置が、無線ルータに接続されたサーバ装置によってブロードキャストされる、クライアント装置のIP情報を表示するように求めるための要求メッセージを、無線ルータを通じて受信するステップと、クライアント装置が、無線ルータと接続されるステップと、サーバ装置が、クライアント装置のIP情報に従ってクライアント装置とネットワークを形成するように、クライアント装置が、そのIP情報をスクリーン上に表示するステップとを含む。本発明の実施形態は、クライアント装置をサーバ装置とネットワーキングさせるために使用される。
2014513903.tif 000002
【特許請求の範囲】
【請求項１】
無線ルータに接続されたサーバ装置によってブロードキャストされる、前記無線ルータに接続されたクライアント装置のIP情報を表示するように求める要求メッセージを、前記クライアント装置によって前記無線ルータを通じて受信するステップと、
前記サーバ装置が前記クライアント装置の前記IP情報に従って前記クライアント装置に接続するように、前記IP情報をスクリーン上に前記クライアント装置によって表示するステップとを含む、ネットワーキング方法。
【請求項２】
前記クライアント装置の前記IP情報をスクリーン上に前記クライアント装置によって表示する前記ステップは、
前記クライアント装置の前記IP情報を含む二次元コードのイメージを前記クライアント装置によって前記スクリーン上に表示するステップを含む、請求項1に記載のネットワーキング方法。
【請求項３】
前記サーバ装置が前記IP情報に従って前記クライアント装置に接続された後、前記ネットワーキング方法は、
前記サーバ装置によって送信されるデータを前記クライアント装置によって前記無線ルータを通じて受信するステップと、
前記データを前記サーバ装置と同期して表示するステップとをさらに含む、請求項1または2に記載のネットワーキング方法。
【請求項４】
クライアント装置のIP情報を表示するように求める要求メッセージを、無線ルータを通じて、前記無線ルータに接続された前記クライアント装置にサーバ装置によってブロードキャストし、それによって前記クライアント装置が前記クライアント装置の前記IP情報をスクリーン上に表示するステップと、
前記クライアント装置の前記IP情報を前記クライアント装置の前記スクリーンから前記サーバ装置によって取得し、前記IP情報に従って前記クライアント装置に接続するステップとを含む、ネットワーキング方法。
【請求項５】
前記クライアント装置の前記IP情報を前記クライアント装置の前記スクリーンから前記サーバ装置によって取得する前記ステップは、
前記サーバ装置によって写真撮影機能を起動して、前記クライアント装置の前記IP情報を含み、前記スクリーン上に前記クライアント装置によって表示される二次元コードのイメージを撮影するステップと、
前記クライアント装置の前記IP情報を前記イメージから、画像認識技術を使用して、取得するステップとを含む、請求項4に記載のネットワーキング方法。
【請求項６】
前記サーバ装置が前記IP情報に従って前記クライアント装置に接続された後、前記ネットワーキング方法は、
データを前記クライアント装置に前記無線ルータを通じて前記サーバ装置によって送信し、それによって前記クライアント装置が、前記データを受信した後、前記データを前記サーバ装置と同期して表示するステップとをさらに含む、請求項4または5に記載のネットワーキング方法。
【請求項７】
無線ルータに接続するように構成される接続ユニットと、
前記無線ルータに接続されたサーバ装置によってブロードキャストされる、クライアント装置のIP情報を表示するように求めるための要求メッセージを、前記無線ルータを通じて受信するように構成される受信ユニットと、
前記サーバ装置が前記クライアント装置の前記IP情報に従って前記クライアント装置に接続されるように、前記IP情報をスクリーン上に表示するように構成される表示ユニットとを含む、クライアント装置。
【請求項８】
前記受信ユニットは、前記クライアント装置が前記サーバ装置に接続された後、前記サーバ装置によって送信されるデータを、前記無線ルータを通じて受信するようにさらに構成され、
前記表示ユニットは、前記受信ユニットが前記データを受信した後、前記データを前記サーバ装置と同期して表示するようにさらに構成される、請求項7に記載のクライアント装置。
【請求項９】
無線ルータに接続するように構成される接続ユニットと、
クライアント装置のIP情報を表示するように求めるための要求メッセージを、前記無線ルータを通じて、前記無線ルータに接続された前記クライアント装置にブロードキャストするように構成されるブロードキャストユニットと、
前記クライアント装置の前記IP情報を前記クライアント装置のスクリーンから取得するように構成される取得ユニットと、
前記取得ユニットによって取得された前記IP情報に従って前記クライアント装置に接続されるように構成されるネットワーキングユニットとを含む、サーバ装置。
【請求項１０】
前記クライアント装置の前記IP情報を含み、前記クライアント装置によって前記スクリーン上に表示される二次元コードのイメージを撮影するように構成される写真撮影ユニットをさらに含み、
前記取得ユニットは、前記クライアント装置の前記IP情報を前記イメージから画像認識技術を使用して取得するように特に構成される、請求項9に記載のサーバ装置。
【請求項１１】
前記サーバ装置が前記クライアント装置に接続された後、データを、前記無線ルータを通じて前記クライアント装置に送信し、それによって前記クライアント装置が、前記データを受信した後、前記データを同期して表示するように構成される送信ユニットをさらに含む、請求項9または10に記載のサーバ装置。
【請求項１２】
無線ルータに接続されたサーバ装置によってブロードキャストされる、前記無線ルータに接続されたクライアント装置のIP情報を表示するように求めるための要求メッセージを、前記無線ルータを通じて受信し、かつ前記サーバ装置が前記クライアント装置の前記IP情報に従って前記クライアント装置に接続されるように、前記IP情報をスクリーン上に表示するように構成されるクライアント装置と、
前記クライアント装置の前記IP情報を表示するように求めるための前記要求メッセージを、前記無線ルータを通じて、前記無線ルータに接続された前記クライアント装置にブロードキャストし、それによって前記クライアント装置が前記クライアント装置の前記IP情報を前記スクリーン上に表示し、かつ、前記クライアント装置の前記IP情報を前記クライアント装置の前記スクリーンから取得し、前記IP情報に従って前記クライアント装置に接続するように構成されるサーバ装置と、
前記クライアント装置および前記サーバ装置と無線で接続するように構成される無線ルータとを含む、ネットワークシステム。
【発明の詳細な説明】
【技術分野】
【０００１】
本発明は、通信分野に関し、具体的には、ネットワーキング方法、サーバ装置、クライアント装置およびネットワークシステムに関する。
【背景技術】
【０００２】
デジタルホームはアプリケーションであり、コンピュータ技術およびネットワーク技術に基づき、様々な家庭電化製品が異なる相互接続モードで互いに通信してデータを交換することを可能にし、それによって家庭電化製品の間の「インターワーキング(interworking)」を実装し、家庭でより便利にかつ迅速に情報を人々に取得させ、その結果、人々の住居の快適さおよび娯楽状態が著しく向上する。
【０００３】
現代の家庭では、写真撮影をサポートする無線接続可能な端末装置(携帯電話、デジタル写真立ておよびノートブックコンピュータなど)、および出力ディスプレイを備える対話型でネットワーク化可能な(networkable)装置(タブレットコンピュータ、セットトップボックス(set top box)、対話型ウェブテレビおよびノートブックコンピュータなど)が普及し、人々の生活を著しく豊かにし簡単化している。しかし、これら2つのタイプの装置は、容易にインターワーキングさせることができない。たとえば、携帯電話上に表示されるコンテンツは、同期してテレビ上に容易に表示することができない。
【発明の概要】
【発明が解決しようとする課題】
【０００４】
本発明の実施形態では、サーバ装置とクライアント装置の間で容易にインターワーキングさせるネットワーキング方法、サーバ装置、クライアント装置およびネットワークシステムが提供される。
【課題を解決するための手段】
【０００５】
上記の目的を達成するために、本発明の実施形態では、次の技術的な解決策が採用される。
【０００６】
一態様では、ネットワーキング方法が提供され、その方法は、
無線ルータに接続されたサーバ装置によってブロードキャストされる、無線ルータに接続されたクライアント装置のIP情報を表示するように求めるための要求メッセージを、クライアント装置によって無線ルータを通じて受信するステップと、
サーバ装置が、クライアント装置のIP情報に従ってクライアント装置に接続されるように、そのIP情報をスクリーン上にクライアント装置によって表示するステップとを含む。
【０００７】
一態様では、ネットワーキング方法が提供され、その方法は、
クライアント装置のIP情報を表示するように求めるための要求メッセージを、無線ルータを通じて、無線ルータに接続されたクライアント装置にサーバ装置によってブロードキャストし、それによってクライアント装置が、クライアント装置のIP情報をスクリーン上に表示するステップと、
クライアント装置のIP情報をクライアント装置のスクリーンからサーバ装置によって取得し、IP情報に従ってクライアント装置に接続するステップとを含む。
【０００８】
一態様では、クライアント装置が提供され、そのクライアント装置は、
無線ルータに接続するように構成される接続ユニットと、
無線ルータに接続されたサーバ装置によってブロードキャストされる、クライアント装置のIP情報を表示するように求めるための要求メッセージを、無線ルータを通じて受信するように構成される受信ユニットと、
サーバ装置がIP情報に従ってクライアント装置に接続されるように、クライアント装置のIP情報をスクリーン上に表示するように構成される表示ユニットとを含む。
【０００９】
一態様では、ネットワーキングサーバ装置が提供され、そのサーバ装置は、
無線ルータに接続するように構成される接続ユニットと、
クライアント装置のIP情報を表示するように求めるための要求メッセージを、無線ルータを通じて、無線ルータに接続されたクライアント装置にブロードキャストするように構成されるブロードキャストユニットと、
クライアント装置のIP情報をクライアント装置のスクリーンから取得するように構成される取得ユニットと、
取得ユニットによって取得されたIP情報に従ってクライアント装置に接続するように構成されるネットワーキングユニットとを含む。
【００１０】
一態様では、ネットワークシステムが提供され、そのシステムは、
無線ルータに接続されたサーバ装置によってブロードキャストされる、無線ルータに接続されたクライアント装置のIP情報を表示するように求めるための要求メッセージを、無線ルータを通じて受信し、かつ、サーバ装置がクライアント装置のIP情報に従ってクライアント装置に接続されるように、そのIP情報をスクリーン上に表示するように構成されるクライアント装置と、
クライアント装置のIP情報を表示するように求めるための要求メッセージを、無線ルータを通じて、無線ルータに接続されたクライアント装置にブロードキャストし、それによってクライアント装置がクライアント装置のIP情報をスクリーン上に表示し、かつ、クライアント装置のIP情報をクライアント装置のスクリーンから取得し、IP情報に従ってクライアント装置に接続するように構成されるサーバ装置と、
クライアント装置およびサーバ装置と無線で接続するように構成される無線ルータとを含む。
【００１１】
本発明の実施形態において提供されるネットワーキング方法、サーバ装置、クライアント装置およびネットワークシステムを用いると、クライアント装置は、無線ルータに接続されたサーバ装置によってブロードキャストされる、クライアント装置のIP情報を表示するように求めるための要求メッセージを、無線ルータを通じて受信し、次いで、サーバ装置が、IP情報に従ってクライアント装置に接続されるように、クライアント装置のIP情報をスクリーン上に表示する。このように、サーバ装置とクライアント装置は、IP情報を使用して、他の関連のあるハードウェアなしに、ユーザに手動で複雑なパラメータを設定するように求めることなく、容易に互いに接続される。
【００１２】
本発明の実施形態で、または先行技術でより明確に技術的な解決策を述べるために、下記に、実施形態または先行技術を述べるために必要な添付図面を簡単に紹介する。次の記述における添付図面は、明らかに、本発明のいくつかの実施形態を示しているにすぎず、当業者は、創造的な努力なしに、添付図面から他の図面をさらに導くことができる。
【図面の簡単な説明】
【００１３】
【図１】本発明の実施形態1によるネットワーキング方法の概略フローチャートである。
【図２】本発明の実施形態2によるネットワーキング方法の概略フローチャートである。
【図３】本発明の実施形態4によるクライアント装置の概略構造図である。
【図４】本発明の実施形態5によるサーバ装置の概略構造図である。
【図５】本発明の実施形態5によるサーバ装置の別の概略構造図である。
【図６】本発明の実施形態6によるネットワーキングシステムの概略構造図である。
【発明を実施するための形態】
【００１４】
次に記す事項は、本発明の実施形態の添付図面を参照して、本発明の実施形態における技術的解決策を明確に完全に述べる。述べる実施形態は、明らかに、本発明の実施形態のすべてというよりむしろその一部分にすぎない。本発明の実施形態に基づき、創造的な努力なしに当業者が得る他の実施形態すべては、本発明の保護範囲に含まれるものとする。
【００１５】
実施形態1
図1に示すように、本発明の実施形態で提供されるネットワーキング方法は、次のステップを含む。
【００１６】
S101。無線ルータに接続されたクライアント装置は、無線ルータに接続されたサーバ装置によってブロードキャストされる、クライアント装置のIP情報を表示するように求めるための要求メッセージを、無線ルータを通じて受信する。
【００１７】
クライアント装置は、出力ディスプレイを備える、対話型でネットワーク化可能な装置、たとえば、タブレットコンピュータ、セットトップボックス、対話型ウェブテレビおよびノートブックコンピュータとすることができる。サーバ装置は、写真撮影および無線接続をサポートする端末装置、たとえば、携帯電話、デジタル写真立て、およびノートブックコンピュータとすることができる。
【００１８】
S102。クライアント装置は、サーバ装置がクライアント装置のIP情報に従ってクライアント装置に接続されるように、そのIP情報をスクリーン上に表示する。
【００１９】
さらに、サーバ装置がIP情報に従ってクライアント装置に接続された後、クライアント装置は、サーバ装置によって送信されるデータを、無線ルータを通じて受信し、そのデータをサーバ装置と同期して表示する。
【００２０】
クライアント装置のIP情報をクライアント装置によってスクリーン上に表示するステップは、直接デジタルフォームでスクリーン上に表示されるIPアドレスを表示するステップ、または表示されるIP情報を含む二次元コードのイメージをスクリーン上に表示するステップとすることができる。
【００２１】
本発明の実施形態で提供されるネットワーキング方法を用いると、クライアント装置は、無線ルータに接続されたサーバ装置によってブロードキャストされる、クライアント装置のIP情報を表示するように求めるための要求メッセージを、無線ルータを通じて受信し、次いで、サーバ装置がクライアント装置のIP情報に従ってクライアント装置に接続されるように、そのIP情報をスクリーン上に表示する。このように、サーバ装置とクライアント装置は、IP情報を使用して、他の関連のあるハードウェアなしに、ユーザに手動で複雑なパラメータを設定するように求めることなく、容易に互いに接続される。
【００２２】
実施形態2
図2に示すように、本発明の実施形態で提供されるネットワーキング方法は、次のステップを含む。
【００２３】
S201。サーバ装置は、クライアント装置のIP情報を表示するように求めるための要求メッセージを、無線ルータを通じて、無線ルータに接続されたクライアント装置にブロードキャストし、それによってクライアント装置がクライアント装置のIP情報をスクリーン上に表示する。
【００２４】
サーバ装置は、写真撮影および無線接続をサポートする端末装置、たとえば、携帯電話、デジタル写真立て、およびノートブックコンピュータとすることができる。クライアント装置は、出力ディスプレイを備える対話型でネットワーク化可能な装置、たとえば、タブレットコンピュータ、セットトップボックス、対話型ウェブテレビおよびノートブックコンピュータとすることができる。
【００２５】
S202。サーバ装置は、クライアント装置のIP情報をクライアント装置のスクリーンから取得し、IP情報に従ってクライアント装置に接続する。
【００２６】
サーバ装置がクライアント装置のIP情報をクライアント装置のスクリーンから取得する方法は、次のようにすることができる。ユーザが、デジタルフォームで表示されたクライアント装置のIPアドレスをクライアント装置のスクリーンから読み、次いで、それをサーバ装置に入力する。または、ユーザが、サーバ装置の写真撮影機能を起動して、クライアント装置によってスクリーン上に表示されたクライアント装置のIP情報を含む二次元コードのイメージを撮影し、次いで、サーバ装置は、イメージ認識技術を使用して、クライアント装置のIP情報をイメージから取得する。
【００２７】
さらに、サーバ装置がIP情報に従ってクライアント装置に接続された後、サーバ装置は、データを、無線ルータを通じてクライアント装置に送信し、それによってクライアント装置が、データを受信した後、サーバ装置と同期してデータを表示する。
【００２８】
同期した表示とは、クライアント装置が表示するためにサーバ装置からデータを受信した後、クライアント装置が、クライアントとサーバの間の同意によってデータを表示することを本明細書では意味すること、およびクライアント側でのデータの表示とサーバ側でのデータの表示には、閾値内の遅れを有することがあることに留意すべきである。
【００２９】
本発明の実施形態で提供されるネットワーキング方法を用いると、サーバ装置は、クライアント装置のIP情報を表示するように求めるための要求メッセージを、無線ルータを通じて、無線ルータに接続されたクライアント装置にブロードキャストし、それによってクライアント装置が、クライアント装置のIP情報をスクリーン上に表示し、サーバ装置は、クライアント装置のIP情報をクライアント装置のスクリーンから取得し、かつ、IP情報に従ってクライアント装置に接続される。このように、サーバ装置とクライアント装置は、IP情報を使用して、他の関連のあるハードウェアなしで、ユーザに手動で複雑なパラメータを設定するように求めることなく、容易に互いに接続される。
【００３０】
実施形態3
本発明の実施形態で提供されるネットワーキング方法を用いると、WiFi対応の携帯電話(サーバ装置)は、WiFi対応のルータを通じてWiFi対応のセットトップボックス(クライアント装置)に接続され、セットトップボックスに接続されたテレビTVが、最終的に、同期して携帯電話のコンテンツを表示する。
【００３１】
2つのセットトップボックス、すなわちセットトップボックス1およびセットトップボックス2は、それぞれ、HDMI(登録商標)(High Definition Multimedia Interface, high definition multimedia interface)を通じてTV-1およびTV2に接続されると仮定される。
【００３２】
ステップ1:  WiFi対応の携帯電話が、WiFi対応の無線ルータに接続される。
【００３３】
具体的には、ユーザは、携帯電話中のWiFi無線ネットワークサーチ機能を起動することができる。ユーザは、携帯電話によって無線ネットワークを探し出したとき、携帯電話が無線ルータに接続されるように、ネットワークに接続することを選ぶ。
【００３４】
ステップ2:  WiFi対応のセットトップボックス1およびセットトップボックス2をWiFi対応の無線ルータに接続する。
【００３５】
また、ユーザは、WiFi対応のセットトップボックス1およびセットトップボックス2中の無線ネットワークサーチ機能を起動することができる。ユーザは、セットトップボックス1およびセットトップボックス2によって無線ネットワークを探し出したとき、セットトップボックス1およびセットトップボックス2が無線ルータに接続されるように、ネットワークに接続することを選ぶ。
【００３６】
ステップ3:  携帯電話が、クライアント端末のIP情報を求める要求メッセージをブロードキャストする。要求メッセージは、ルータを通じてセットトップボックス1およびセットトップボックス2にブロードキャストされる。
【００３７】
携帯電話、セットトップボックス1およびセットトップボックス2がすべてWiFi対応の無線ルータに接続されるので、携帯電話によって送信されるブロードキャストされるメッセージは、RFB(Remote Frame Buffer, Remote Frame Buffer)プロトコルなど、無線ルータによってサポートされる関連のあるプロトコルを使用して、ルータを通じてセットトップボックスにブロードキャストすることができる。
【００３８】
ステップ4:  要求メッセージを受信した後、セットトップボックス1によって、テレビTV-1が、セットトップボックス1のIP情報を含む二次元コードのイメージをスクリーン上に表示することができるようになる。また、要求メッセージを受信した後、セットトップボックス2によって、テレビTV-2が、セットトップボックス2のIP情報を含む二次元コードのイメージをスクリーン上に表示することができるようになる。本明細書では、IP情報は、二次元コードのイメージを通じて表示されるが、IPアドレスは、直接デジタルフォームでは表示されない。それによって、秘密を守り、携帯電話への誤入力によって生じるネットワークの接続失敗を防止する。
【００３９】
ステップ5:  ユーザは、テレビTV-1のスクリーン上にあるセットトップボックス1のIP情報を含む二次元イメージを携帯電話のカメラで狙い、写真撮影機能を起動してイメージを撮影する。携帯電話中の画像処理および認識ソフトウェアによってイメージを処理して、二次元イメージ中に含まれたセットトップボックス1のIPアドレスを取得する。
【００４０】
ステップ6:  WiFi対応の携帯電話およびWiFi対応のセットトップボックス1が、それぞれWiFi対応の無線ルータに接続されるので、携帯電話によって、無線ルータを通じて、セットトップボックス1の取得されたIPアドレスに従ってセットトップボックス1を見出すことができる。セットトップボックス1のIPアドレスを取得した後、携帯電話は、接続要求をセットトップボックス1に送信し、携帯電話とセットトップボックス1の間でネットワークを形成する。
【００４１】
ステップ7:  携帯電話がセットトップボックス1に接続された後、セットトップボックス1が、テレビTV-1に、スクリーン上に「同期するか(Synchronize?)」を表示させることができるようになる。ユーザがリモートコントロールを通じて「Yes」を選択した場合、セットトップボックス1は、ルータを通じて携帯電話からデータを受信し、データを携帯電話と同期して表示する。
【００４２】
このように、携帯電話を動作させることによって、ユーザは、テレビTV-1で、イメージを表示し、インターネットにアクセスし、音楽を聴き、映画を見るなどすることができる。
【００４３】
ステップ8:  ユーザは、テレビTV-2のスクリーン上にあるセットトップボックス2のIP情報を含む二次元イメージを携帯電話のカメラで狙い、写真撮影機能を起動してイメージを撮影する。携帯電話中の画像処理および認識ソフトウェアによって、イメージを処理して、二次元イメージ中に含められたセットトップボックス2のIPアドレスを取得する。
【００４４】
ステップ9:  WiFi対応の携帯電話およびWiFi対応のセットトップボックス2が、それぞれWiFi対応の無線ルータに接続されるので、携帯電話によって、無線ルータを通じて、セットトップボックス2の取得されたIPアドレスに従ってセットトップボックス2を見出すことができる。
【００４５】
本実施形態では、携帯電話と同期させることができる2つのセットトップボックスが使用できる。しかし、現在のところ無線ネットワークの帯域幅の制限のために、1つのセットトップボックスだけを携帯電話と同期させることが好ましい。したがって、切り替え動作が必要になる。もちろん、使用できる帯域幅が制限されない場合、携帯電話は、切り替えなしに、2つのセットトップボックスと同期させることができる。
【００４６】
ステップ10:  携帯電話は、セットトップボックス2のIPアドレスを取得した後、有効な接続が存在すると決定し、接続切り替え指示メッセージをセットトップボックス2に送信する。
【００４７】
ステップ11:  無線ルータを通じて、携帯電話によって送信される接続切り替え指示メッセージを受信した後、セットトップボックス2が、テレビTV-2に、スクリーン上に「Switch?」を表示させることができるようになる。ユーザが「Yes」を選択した場合、携帯電話は、セットトップボックス2のIP情報に従ってセットトップボックス2に接続される。このとき、携帯電話は、セットトップボックス1から接続解除され、テレビTV-2は、イメージ表示、インターネットアクセス、音楽リスニングおよび映画視聴など、携帯電話でアクティブな機能を同期して表示し、TV-1は、自動的にレディー状態に戻る。
【００４８】
本発明の実施形態で提供されるネットワーキング方法を用いると、ある態様では、セットトップボックスは、無線ルータに接続される。クライアント装置のIP情報を表示するように求めるための要求メッセージが無線ルータに接続された携帯電話によってブロードキャストされた場合、要求メッセージが無線ルータを通じて受信される。次いで、クライアント装置のIP情報が、スクリーン上に表示される。別の態様では、携帯電話が、無線ルータに接続される。クライアント装置のIP情報を表示するように求めるための要求メッセージが、無線ルータを通じて、無線ルータに接続されたセットトップボックスにブロードキャストされる。IP情報がセットトップボックスのスクリーンから取得された後、携帯電話は、IP情報に従ってセットトップボックスに接続される。このように、サーバ装置(携帯電話)とクライアント装置(セットトップボックス)は、IP情報を使用して、他の関連のあるハードウェアなしで、ユーザに手動で複雑なパラメータを設定するように求めることなく、容易に互いに接続される。
【００４９】
実施形態4
図3に示すように、本発明の実施形態で提供されるクライアント装置30は、
無線ルータに接続するように構成される接続ユニット301と、
無線ルータに接続されたサーバ装置によってブロードキャストされる、クライアント装置のIP情報を表示するように求めるための要求メッセージを、無線ルータを通じて受信するように構成される受信ユニット302と、
サーバ装置がクライアント装置のIP情報に従ってクライアント装置に接続されるように、そのIP情報をスクリーン上に表示するように構成される表示ユニット303とを含む。
【００５０】
本発明の実施形態で提供されるネットワーキングクライアント装置を用いると、クライアント装置は、無線ルータに接続された後、無線ルータに接続されたサーバ装置によってブロードキャストされる、クライアント装置のIP情報を表示するように求めるための要求メッセージを受信し、次いで、サーバ装置がクライアント装置のIP情報に従ってクライアント装置に接続されるように、そのIP情報をスクリーン上に表示する。このように、サーバ装置とクライアント装置は、IP情報を使用して、他の関連のあるハードウェアなしで、ユーザに手動で複雑なパラメータを設定するように求めることなく、容易に互いに接続される。
【００５１】
さらに、受信ユニット302は、クライアント装置がサーバ装置に接続された後、サーバ装置によって送信されるデータを、無線ルータを通じて受信するようにさらに構成される。
【００５２】
表示ユニット303は、受信ユニットがデータを受信した後、データをサーバ装置と同期して表示するようにさらに構成される。
【００５３】
このように、サーバ装置を動作させることによって、ユーザは、クライアント装置で、イメージを表示し、インターネットにアクセスし、音楽を聴き、映画を見るなどすることができ、それによってより良好な経験を楽しむことができる。
【００５４】
実施形態5
図4に示すように、本発明の実施形態で提供されるサーバ装置40は、
無線ルータに接続するように構成される接続ユニット401と、
クライアント装置のIP情報を表示するように求めるための要求メッセージを、無線ルータを通じて、無線ルータに接続されたクライアント装置にブロードキャストするように構成されるブロードキャストユニット402と、
クライアント装置のIP情報をクライアント装置のスクリーンから取得するように構成される取得ユニット403と、
取得ユニット403によって取得されたIP情報に従ってクライアント装置に接続されるように構成されるネットワーキングユニット404とを含む。
【００５５】
本発明の実施形態で提供されるネットワーキングサーバ装置を用いると、サーバ装置は、無線ルータに接続された後、クライアント装置のIP情報を表示するように求めるための要求メッセージを、無線ルータを通じて、無線ルータに接続されたクライアント装置にブロードキャストし、クライアント装置のIP情報をクライアント装置のスクリーンから取得し、IP情報に従ってクライアント装置に接続される。このように、サーバ装置とクライアント装置は、IP情報を使用して、他の関連のあるハードウェアなしで、ユーザに手動で複雑なパラメータを設定するように求めることなく、容易に互いに接続される。
【００５６】
さらに、図5に示すように、サーバ装置40は、
クライアント装置のIP情報を含み、クライアント装置によってスクリーン上に表示される二次元コードのイメージを撮影するように構成される写真撮影ユニット405をさらに含む。
【００５７】
取得ユニット403は、画像認識技術を使用して、クライアント装置のIP情報をイメージから取得するように特に構成される。IP情報は、二次元コードのイメージを通じて表示されるが、しかしIPアドレスは、直接デジタルフォームでは表示されない。それによって、秘密を守り、携帯電話への誤入力によって生じるネットワークの接続失敗を防止する。
【００５８】
サーバ装置40は、
接続された後、無線ルータを通じてクライアント装置にデータを送信し、それによってクライアント装置が、データを受信した後、データを同期して表示するように構成される送信ユニット406をさらに含む。
【００５９】
このように、サーバ装置を動作させることによって、ユーザは、クライアント装置で、イメージを表示し、インターネットにアクセスし、音楽を聴き、映画を見るなどすることができ、それによってより良好な経験を楽しむことができる。
【００６０】
実施形態6
図6に示すように、本発明の実施形態で提供されるネットワークシステムは、クライアント装置601、サーバ装置602および無線ルータ603を含む。
【００６１】
無線ルータ603に接続されたクライアント装置601は、無線ルータ603に接続されたサーバ装置602によってブロードキャストされる、クライアント装置のIP情報を表示するように求めるための要求メッセージを、無線ルータ603を通じて受信し、かつ、サーバ装置602がクライアント装置のIP情報に従ってクライアント装置601に接続されるように、そのIP情報をスクリーン上に表示する。
【００６２】
具体的には、クライアント装置601は、出力ディスプレイを備える対話型でネットワーク化可能な装置、たとえば、タブレットコンピュータ、セットトップボックス、対話型ウェブテレビおよびノートブックコンピュータとすることができる。
【００６３】
サーバ装置602は、クライアント装置のIP情報を表示するように求めるための要求メッセージを、無線ルータ603を通じて、無線ルータ603に接続されたクライアント装置601にブロードキャストし、それによってクライアント装置601がクライアント装置のIP情報をスクリーン上に表示し、サーバ装置602は、クライアント装置601のIP情報をクライアント装置601のスクリーンから取得し、かつ、IP情報に従ってクライアント装置601に接続するように構成される。
【００６４】
具体的には、サーバ装置602は、写真撮影および無線接続をサポートする端末装置、たとえば、携帯電話、デジタル写真立て、およびノートブックコンピュータとすることができる。
【００６５】
無線ルータ603は、クライアント装置601およびサーバ装置602と無線で接続するように構成される。
【００６６】
クライアント装置601の構造およびサーバ装置602の構造は、上記の実施形態4および実施形態5でのそれらと同じであり、ここでは繰り返さない。
【００６７】
本発明の実施形態で提供されるネットワーキングシステムを用いると、クライアント装置は、無線ルータに接続されたサーバ装置によってブロードキャストされる、クライアント装置のIP情報を表示するように求めるための要求メッセージを、無線ルータを通じて受信し、次いで、クライアント装置のIP情報をスクリーン上に表示する。サーバ装置は、IP情報をクライアント装置のスクリーンから取得した後、IP情報に従ってクライアント装置に接続される。このように、サーバ装置とクライアント装置は、IP情報を使用して、他の関連のあるハードウェアなしで、ユーザに手動で複雑なパラメータを設定するように求めることなく、容易に互いに接続される。
【００６８】
当業者は、本実施形態の方法のすべて、またはその一部分が、プログラムによって命令される関連のあるハードウェアによって実施することができることを理解されるはずである。プログラムは、コンピュータ可読記憶媒体中に格納することができる。プログラムを走らせたとき、本実施形態の方法の前述のステップが実施される。記憶媒体は、ROM、RAM、磁気ディスクまたは光ディスクなど、プログラムコードを格納することが可能ないずれもの媒体とすることができる。
【００６９】
前述の記述は、単に本発明の具体的な実施形態であるが、しかし本発明の保護範囲を限定するように意図されていない。本発明で開示した技術的範囲内で当業者によって容易に考え出される、いずれもの変形または置換は、本発明の保護範囲内に含めるものとする。したがって、本発明の保護範囲は、請求項の保護範囲の支配を受けるものとする。
【符号の説明】
【００７０】
30  クライアント装置
40  サーバ装置
301  接続ユニット
302  受信ユニット
303  表示ユニット
401  接続ユニット
402  ブロードキャストユニット
403  取得ユニット
404  ネットワーキングユニット
405  写真撮影ユニット
406  送信ユニット
601  クライアント装置
602  サーバ装置
603  無線ルータ
【図１】
2014513903.tif 000003
【図２】
2014513903.tif 000004
【図３】
2014513903.tif 000005
【図４】
2014513903.tif 000006
【図５】
2014513903.tif 000007
【図６】
2014513903.tif 000008
【手続補正書】
【提出日】平成25年12月19日(2013.12.19)
【手続補正１】
【補正対象書類名】特許請求の範囲
【補正対象項目名】全文
【補正方法】変更
【補正の内容】
【特許請求の範囲】
【請求項１】
無線ルータに接続されたサーバ装置によってブロードキャストされる、前記無線ルータに接続されたクライアント装置のIP情報を表示するように求める要求メッセージを、前記クライアント装置によって前記無線ルータを通じて受信するステップと、
前記サーバ装置が前記クライアント装置の前記IP情報に従って前記クライアント装置に接続するように、前記IP情報をスクリーン上に前記クライアント装置によって表示するステップとを含む、ネットワーキング方法。
【請求項２】
前記サーバ装置が前記IP情報に従って前記クライアント装置に接続された後、前記ネットワーキング方法は、
前記サーバ装置によって送信されるデータを前記クライアント装置によって前記無線ルータを通じて受信するステップと、
前記データを前記サーバ装置と同期して表示するステップとをさらに含む、請求項1に記載のネットワーキング方法。
【請求項３】
前記クライアント装置の前記IP情報をスクリーン上に前記クライアント装置によって表示する前記ステップは、
前記クライアント装置の前記IP情報を含む二次元コードのイメージを前記クライアント装置によって前記スクリーン上に表示するステップを含む、請求項1または2に記載のネットワーキング方法。
【請求項４】
クライアント装置のIP情報を表示するように求める要求メッセージを、無線ルータを通じて、前記無線ルータに接続された前記クライアント装置にサーバ装置によってブロードキャストし、それによって前記クライアント装置が前記クライアント装置の前記IP情報をスクリーン上に表示するステップと、
前記クライアント装置の前記IP情報を前記クライアント装置の前記スクリーンから前記サーバ装置によって取得し、前記IP情報に従って前記クライアント装置に接続するステップとを含む、ネットワーキング方法。
【請求項５】
前記サーバ装置が前記IP情報に従って前記クライアント装置に接続された後、前記ネットワーキング方法は、
データを前記クライアント装置に前記無線ルータを通じて前記サーバ装置によって送信し、それによって前記クライアント装置が、前記データを受信した後、前記データを前記サーバ装置と同期して表示するステップとをさらに含む、請求項4に記載のネットワーキング方法。
【請求項６】
前記クライアント装置の前記IP情報を前記クライアント装置の前記スクリーンから前記サーバ装置によって取得する前記ステップは、
前記サーバ装置によって写真撮影機能を起動して、前記クライアント装置の前記IP情報を含み、前記スクリーン上に前記クライアント装置によって表示される二次元コードのイメージを撮影するステップと、
前記クライアント装置の前記IP情報を前記イメージから、画像認識技術を使用して、取得するステップとを含む、請求項4または5に記載のネットワーキング方法。
【請求項７】
無線ルータに接続するように構成される接続ユニットと、
前記無線ルータに接続されたサーバ装置によってブロードキャストされる、クライアント装置のIP情報を表示するように求めるための要求メッセージを、前記無線ルータを通じて受信するように構成される受信ユニットと、
前記サーバ装置が前記クライアント装置の前記IP情報に従って前記クライアント装置に接続されるように、前記IP情報をスクリーン上に表示するように構成される表示ユニットとを含む、クライアント装置。
【請求項８】
前記受信ユニットは、前記クライアント装置が前記サーバ装置に接続された後、前記サーバ装置によって送信されるデータを、前記無線ルータを通じて受信するようにさらに構成され、
前記表示ユニットは、前記受信ユニットが前記データを受信した後、前記データを前記サーバ装置と同期して表示するようにさらに構成される、請求項7に記載のクライアント装置。
【請求項９】
無線ルータに接続するように構成される接続ユニットと、
クライアント装置のIP情報を表示するように求めるための要求メッセージを、前記無線ルータを通じて、前記無線ルータに接続された前記クライアント装置にブロードキャストするように構成されるブロードキャストユニットと、
前記クライアント装置の前記IP情報を前記クライアント装置のスクリーンから取得するように構成される取得ユニットと、
前記取得ユニットによって取得された前記IP情報に従って前記クライアント装置に接続されるように構成されるネットワーキングユニットとを含む、サーバ装置。
【請求項１０】
前記サーバ装置が前記クライアント装置に接続された後、データを、前記無線ルータを通じて前記クライアント装置に送信し、それによって前記クライアント装置が、前記データを受信した後、前記データを同期して表示するように構成される送信ユニットをさらに含む、請求項9に記載のサーバ装置。
【請求項１１】
前記クライアント装置の前記IP情報を含み、前記クライアント装置によって前記スクリーン上に表示される二次元コードのイメージを撮影するように構成される写真撮影ユニットをさらに含み、
前記取得ユニットは、前記クライアント装置の前記IP情報を前記イメージから画像認識技術を使用して取得するように特に構成される、請求項9または10に記載のサーバ装置。
【国際調査報告】
2014513903.tif 000009
2014513903.tif 000010
2014513903.tif 000011
2014513903.tif 000012